(57)【要約】【課題】  本発明は、絶縁状態を確保して安全な取付作業が行えるとともに、作業効率を高めることのできる鳥害防止具を提供することにある。【解決手段】  複数の起立体２，２ａ，２ｂと、ライン材３と、連装部材１とを備えており、ライン材３は、可撓性を有しており、各起立体２，２ａ，２ｂは、ライン材３の長手方向に間隔をあけて一続きに繋がれており、ライン材３の両端に繋いである起立体２は、電線Ｄに取り付けが可能であり、ライン材３の中間に繋いである起立体２ａ，２ｂは、電線Ｄに取り付けが可能なものと電線Ｄから離脱不能に挿通するものが適宜選択され、連装部材１は、各起立体２，２ａ，２ｂを脱着可能に取り付けていることを特徴とする。【選択図】      図１（ａ）（ｂ）
2015154598.tif 000002
【特許請求の範囲】
【請求項１】
複数の起立体と、ライン材と、連装部材とを備えており、
ライン材は、可撓性を有しており、
各起立体は、ライン材の長手方向に間隔をあけて一続きに繋がれており、
ラインの両端に繋いである起立体は、電線に取り付けが可能であり、
ラインの中間に繋いである起立体は、電線に取り付けが可能なものと電線から離脱不能に挿通するものが適宜選択され、
連装部材は、各起立体を脱着可能に取り付けていることを特徴とする鳥害防止具。
【請求項２】
ライン材の長手方向に間隔をあけて繋いである複数の起立体を脱着可能に取り付けた連装部材を間接活線工具により電線に近付け、複数の起立体のうち、ライン材の一番端に繋いである起立体を電線に取り付ける第一の工程と、
上記の連装部材を電線の他方側に引っ張り、第一の工程で電線に固定した起立体を連装部材から抜き出すとともに、残りの起立体を連装部材から次々に抜き出しながら電線の長手方向に沿って配置していき、さらに、ライン材を電線とほぼ平行に張った状態とする第二工程と、
ライン材に繋いである最後の起立体を電線に取り付けた後、連装部材を最後の起立体から取り外す第三の工程を経ることを特徴とする鳥害防止具の取付方法。  
【発明の詳細な説明】
【技術分野】
【０００１】
本発明は、電線に沿って取り付けることにより鳥の飛来や営巣を防ぐ鳥害防止具と、その取付方法に関するものである。
【背景技術】
【０００２】
電線に対して飛来する鳥の立ち止まりを防止するものとして鳥害防止具があった。この鳥害防止具は、特開２０１３−１４１４５２号公報のように、電線の長手方向に沿って複数の起立体を取り付け、各起立体の上端部に取り付けたライン材を電線の上方にほぼ平行に配置することにより、鳥が電線に止れなくすることで、電線下の糞害等を防ぐものであった。
【先行技術文献】
【特許文献】
【０００３】
【特許文献１】特開２０１３−１４１４５２号公報
【発明の開示】
【発明が解決しようとする課題】
【０００４】
上記のような鳥害防止具は、現場でライン材に複数の起立体を繋げるとともに、高所作業車のバケットに乗り込んだ作業者がライン材に一続きに繋がれた起立体を一つずつ電線に取り付けるものであった。このときに、電線に取り付けていない起立体は、ライン材に繋がれたままバケット内に置かれていたことから、電線とバケット内がライン材で繋がった状態となり、バケット内の作業者が短絡事故の危険を感じるという不都合があった。また、取付作業の前には、事前に作業者が起立体とライン材を取り付けておく必要があった。
【０００５】
本発明は上記課題を鑑みてなされたものであり、絶縁状態を確保して安全な取付作業が行えるとともに、作業効率を高めることのできる鳥害防止具と、その取付方法を提供することにある。
【課題を解決するための手段】
【０００６】
本発明のうち請求項１記載の鳥害防止具は、複数の起立体と、ライン材と、連装部材とを備えており、ライン材は、可撓性を有しており、各起立体は、ライン材の長手方向に間隔をあけて一続きに繋がれており、ラインの両端に繋いである起立体は、電線に取り付けが可能であり、ラインの中間に繋いである起立体は、電線に取り付けが可能なものと電線から離脱不能に挿通するものが適宜選択され、連装部材は、各起立体を脱着可能に取り付けていることを特徴とする。
【０００７】
本発明のうち請求項２記載の鳥害防止具の取付方法は、ライン材の長手方向に間隔をあけて繋いである複数の起立体を脱着可能に取り付けた連装部材を間接活線工具により電線に近付け、複数の起立体のうち、ライン材の一番端に繋いである起立体を電線に取り付ける第一の工程と、上記の連装部材を電線の他方側に引っ張り、第一の工程で電線に固定した起立体を連装部材から抜き出すとともに、残りの起立体を連装部材から次々に抜き出しながら電線の長手方向に沿って配置していき、さらに、ライン材を電線とほぼ平行に張った状態とする第二工程と、ライン材に繋いである最後の起立体を電線に取り付けた後、連装部材を最後の起立体から取り外す第三の工程を経ることを特徴とする。
【発明の効果】
【０００８】
本発明によれば、あらかじめライン材を繋げてある複数の起立体を取り付けた連装部材を、間接活線把持具を用いて電線に近付け、ライン材の一番端に繋いである起立体を電線に固定し、その後にライン材を張った状態にしながら残りの起立体を順次取り付けていくことができる。これにより、鳥害防止具の取付作業の間は、電線と作業者を載せるバケットが接触することがないので、短絡事故の危険性を感じることなく安全性が確保された状態で作業を行うことができる。また、鳥害防止具の設置に必要な起立体とライン材のすべてを一度に電線に配置できることから、鳥害防止具の電線に対する取付作業にかかる時間が大幅に短縮される。あらかじめライン材を起立体に取り付けてあることから、作業者が取り付けを行う必要がないことも利点のひとつである。さらに、鳥害防止具が連装部材で一纏めになっていることから、現場への搬送が容易である。
【図面の簡単な説明】
【０００９】
【図１（ａ）（ｂ）】本実施による鳥害防止具の全体を示す斜視図であり、（ａ）は、電線の仮置き時、（ｂ）は、電線に取り付けるときの状態を示すものである。
【図２（ａ）（ｂ）】本実施による鳥害防止具の連装部材の（ａ）は、組立後の斜視図であり、（ｂ）は、組立前の正面図である。
【図３（ａ）（ｂ）（ｃ）（ｄ）】（ａ）（ｂ）（ｃ）（ｄ）は、図１（ａ）（ｂ）に示す本実施による鳥害防止具の電線に対する取付手順を示す側面図である。
【図４（ａ）（ｂ）】本発明の鳥害防止具の他の実施形態を示すものであり、（ａ）は、電線に取り付けるときの状態を示す斜視図であり、（ｂ）は、正面図である。
【図５（ａ）（ｂ）（ｃ）（ｄ）】（ａ）（ｂ）（ｃ）（ｄ）は、図４（ａ）（ｂ）に示す鳥害防止具の電線に対する取付手順を示す正面図である。
【発明を実施するための形態】
【００１０】
以下、本発明の鳥害防止具の実施形態を図面に基づいて説明する。
本実施による鳥害防止具は、図１（ａ）（ｂ）のように、複数の起立体２，２ａと、各起立体２，２ａを繋ぐラインロープ（ライン材）３と、各起立体２，２ａを取り付ける連装部材１とを備えている。このうち起立体２，２ａは、ラインロープ３の長手方向の両端に繋ぐもの（符号２）と、ラインロープ３の中間に繋ぐもの（符号２ａ）があるが、本実施ではいずれも同一の構成のものを使用していることから、まとめて説明する。起立体２，２ａは、電線取付部４と離隔部５とからなっている。電線取付部４は、電線Ｄを囲む電線受け部材６と、電線押圧部材７とからなっている。電線受け部材６は、上片と下片と縦片とから、ほぼコ字型をなしている。さらに、電線受け部材６の開放側には、開閉可能な蓋部材８を有しており、開放口から電線受け部材６の内周側に受け入れた電線Ｄを蓋部材８で閉塞することによって、電線Ｄを離脱させなくできる。電線押圧部材７は、棒状をなしている。さらに、電線押圧部材７の長手方向の一端部には、電線Ｄを押すための押圧部７ａを有しており、長手方向の他端部には、間接活線把持具９に取り付けできる被取付部７ｂを有している。そして、押圧部７ａは、電線受け部材６の下片に対して上下に挿通しており、電線押圧部材７を電線受け部材６の内周側に配するとともに、電線受け部材６の外周側には間接活線把持具９で掴むことのできるヒレ状をなす被把持部１２を配している。さらに、離隔部５は、電線取付部４の上部からほぼ垂直に起立するロープ受け部１３と、ロープ受け部１３の上下の任意の位置でラインロープ３を挟んで固定できるロープ押さえ部１４とから構成するものである。ロープ受け部１３とロープ押さえ部１４は、ネジ１５で締め付けることでロープ受け部１３がロープ押さえ部１４側に引き寄せられてラインロープ３を挟み込む構造をなす。また、離隔部５の頂部には、鳥の立ち止まりを防ぐ鳥返し１６が設けてあり、頂部を尖らせることにより離隔部５に鳥が立ち止らないようにしてある。さらに、ラインロープ３は、本実施形態では樹脂材料で成形されたものを使用しており、絶縁性を有するとともに一定以上の引張り強度と剪断耐力のある強靭な材質が選定されている。
【００１１】
連装部材１は、図２（ｂ）のように、横長方形をなすダンボール紙を使用している。さらに、連装部材１には、電線Ｄの長手方向に間隔をあけて起立体保持部１０ａ，１０ｂを有している。起立体保持部１０ａ，１０ｂは、ダンボール紙を切り抜いて開口した起立体取付孔１０ａと、その起立体取付孔１０ａと一対で且つ平行位置に間隔を設けたロープ保持部１０ｂとを有している。起立体取付孔１０ａは、下向き凸状をなしており、下部の幅の狭い孔には起立体２，２ａの被把持部１２が差し込まれるとともに、上記の被把持部１２を係止して落下しないようにするものである。ロープ保持部１０ｂは、図２（ａ）のように、連装部材１の一部を切り起こしたダンボール片にロープ通し孔２０を貫通し、さらに、ロープ通し孔２０から上方に向けて切れ込み線２１を設けている。そのロープ通し孔２０に束ねたラインロープ３を通して保持させるものである（図１（ａ）もあわせて参照）。そして、束ねたラインロープ３はロープ通し孔２０に通した後に弾性復帰することから、ロープ通し孔２０から不意に落ちずにロープ保持部１０ｂで保持される。また、連装部材１は、上部を折り曲げ線２２で折り曲げてあり、その折り曲げ部１ａには、間隔をあけて上部通し孔１１が設けてある。また、上部通し孔１１から上方に向けて切れ込み線１１ａが設けてある。これにより、上部通し孔１１のそれぞれに起立体２，２ａの鳥返し１６を挿通し、折り曲げ部１ａで起立体２，２ａの上部を支持することで、各起立体２，２ａをほぼ一列に配置することができる。また、連装部材１から起立体２，２ａが離脱するときに、鳥返し１６が上部通し孔１１から切れ込み線１１ａに沿って外れる構造となっている。さらに、本実施による連装部材１は、ダンボール紙で形成しているが、このようにダンボール紙を使用することで、鳥害防止具の電線Ｄへの取付作業の後に残った連装部材１を容易に廃棄することができる。尚、折り曲げ線２２は、必ずしも設ける必要はなく、連装部材１に使用するダンボール材の厚みが薄いものであれば、そのまま折り曲げてもよい。
【００１２】
上記の連装部材１に対して起立体２を取り付けるとき、起立体２，２ａから側方に突出する被把持部１２を連装部材１の起立体取付孔１０ａに挿通し、起立体２，２ａを連装部材１の一側面に当接して支持する。さらに、連装部材１の折り曲げ部１ａに設けてある上部通し孔１１に対し、起立体２，２ａの鳥返し１６を通すことにより、連装部材１の二箇所で起立体２，２ａを支持する。さらに、複数の起立体２，２ａ間に配置してあるラインロープ３は、束ねて絡まらないように小さく纏めるとともに、連装部材１のロープ保持部１０ｂで保持する。これにより、連装部材１に複数の起立体２，２ａとラインロープ３をまとめて取り付けることができ、複数の起立体２，２ａとラインロープ３がパッケージングされた鳥害防止具が形成される。
【００１３】
上記の鳥害防止具を電線Ｄに設置するときの手順を図３（ａ）〜（ｄ）に示す。
第一の手順として、図３（ａ）のように、鳥害防止具のいずれかの起立体２，２ａの被把持部１２を間接活線把持具９で掴んで電線Ｄの近くまで運ぶ。さらに、すべての起立体２，２ａの電線取付部４を電線Ｄに引っ掛け、蓋部材８を閉めて電線取付部４の内周に電線Ｄを包囲する。
第二の手順として、図３（ｂ）のように、複数の起立体２，２ａのうち、最端に配してある起立体２の電線押圧部材７の被取付部７ｂを間接活線把持具９で回転し、電線Ｄに対して最端に配してある起立体２を固定する。さらに、他の起立体２、２ａのいずれかの被把持部１２を間接活線把持具９で掴んで電線Ｄの長手方向に移動させることで、最端に配される起立体２が連装部材１から外れる。このまま、連装部材１を移動させることで、最端に配される起立体２と隣接する他の起立体２，２ａ間のラインロープ３が張った状態となる。
第三の手順として、図３（ｃ）のように、最端から2番目に配置する起立体２ａの電線押圧部材７を間接活線把持具９で回して固定する。さらに、連装部材１を電線Ｄの長手方向に移動させて最端から2番目の起立体２ａと同じく最端から３番目の起立体２ａの間のラインロープ３を張った状態とする。
第四の手順として、図３（ｄ）のように、すべての起立体２，２ａを電線Ｄに取り付けた後、最後の起立体２から間接活線把持具９で連装部材１を取り外すことにより、電線Ｄにほぼ平行してラインロープ３が張られ、これにより、電線Ｄに対する鳥害防止具の取り付けが完了する。
【００１４】
上記のように本実施による鳥害防止具を形成することにより、以下に示す作用、効果を奏することになる。板状をなす連装部材１のいずれか一側面にラインロープ３で一続きに繋がれた複数の起立体２，２ａをほぼ平行に配置し、連装部材１の起立体取付孔１０ａと上部通し孔１１の二箇所で各起立体２，２ａを脱着可能に支持している。さらに、ラインロープ３も連装部材１のいずれかの一側面に纏められている。
これにより、電線Ｄに取り付ける全ての起立体２，２ａとラインロープ３を繋いで組み立てた状態で、且つ連装部材１の一側面に一纏めにした状態で間接活線把持具９により電線Ｄの近傍まで近付け、さらに、すべての起立体２，２ａを一度の工程で電線Ｄに仮置きすることができる。したがって、鳥害防止具の電線Ｄに対する設置が容易になり、バケット車の作業者が短絡事故の危険を感じることなく作業ができる。さらに、鳥害防止具を電線Ｄに取り付け後に残った連装部材１は、ダンボール紙を使用していることで簡単に廃棄できるものである。
【００１５】
本発明の鳥害防止具の他の実施形態として、図４（ａ）（ｂ）のように、両端の起立体２を電線Ｄに取り付けるものとし、中間に配置される起立体２ｂは、電線Ｄを挿通する構成としたものである。このうち、電線Ｄの両端に配置される各起立体２については、上記実施形態のものと同一の構造であるから、説明を省略する。そして、両端の各起立体２間に配置される各起立体２ｂは、図４（ａ）のように、リング状をなす電線挿通部３３を有しており、この電線挿通部３３は、ヒンジ３４で開閉自在に形成してある。また、電線挿通部３３は、間接活線把持具９の操作により開閉されるもので、これを閉じたときには、一方と他方のＣ字またはコ字型の部材が上下に嵌合してリング状を維持することになる。
【００１６】
上記の鳥害防止具を電線Ｄに設置するときの手順を図５（ａ）〜（ｄ）及び図１（ｂ）に基づいて説明する。
第一の手順として、図５（ａ）のように、いずれかの起立体２，２ｂの被把持部（図示省略）１２を間接活線把持具９で掴んで電線Ｄの近くまで運ぶ。さらに、両端に配置される起立体２と、中間に配置される起立体２ｂを電線Ｄに仮置きの状態で引っ掛ける。このとき、最端に配してある起立体２の蓋部材８を閉めるとともに、中間の起立体２ｂの電線挿通部３３を閉じることで、電線取付部４および電線挿通部３３の内周側で電線Ｄを包囲する（図１（ｂ）もあわせて参照）。
第二の手順として、図５（ｂ）のように、複数の起立体２，２ｂのうち、最端に配してある起立体２の電線押圧部材７の被取付部７ｂ（図１（ｂ）参照）を間接活線把持具９の操作で電線Ｄに起立体２を取り付ける。さらに、他の起立体２，２ｂのいずれかの被把持部１２を間接活線把持具９で掴んで電線Ｄの長手方向に沿って移動させることで、最端に配される起立体２が連装部材１の起立体取付孔１０ａから外れる。このまま、連装部材１を移動させることで、図５（ｃ）のように、最端に配される起立体２と隣接する他の起立体２ｂ間のラインロープ３が張った状態となる。
第三の手順として、図５（ｄ）のように、すべての起立体２，２ｂをラインロープ３が張った状態で電線Ｄに取り付けた後、最後の起立体２の被取付部７ｂを間接活線把持具９の操作で電線Ｄに取り付ける。その後、連装部材１を取り外すことにより、電線Ｄにほぼ平行してラインロープ３が張られ、これにより、電線Ｄに対する鳥害防止具の取り付けが完了する。
【００１７】
本発明の鳥害防止具は、上記実施形態で連装部材１をダンボール紙で形成したが、樹脂板やゴム板であってもよい。さらに、形状についても上記実施形態では方形にカットされた板状のものを使用しているが、円形、棒状あるいは帯状と、複数の起立体２，２ａ，２ｂを一続きに取り付けることができるものであればよい。また、起立体取付孔１０ａや上部通し孔１１は、起立体２，２ａ，２ｂの形状や大きさに対応して適宜変更してもよい。さらに、ラインロープ（ライン材）３を連装部材１に保持させる手段についても、その形状や大きさについては限定するものではなく、また、必ずしも連装部材１に設けなくていなくてもよい。さらに、起立体２，２ａ，２ｂは、上記の実施形態のもの以外でもよく、連装部材１に簡単に取り付けることのできる形態であればよい。また、ロープ保持部１０ｂや上部通し孔１１の切れ込み線１１ａ，２１、折り曲げ線２２は、連装部材１を引っ張れば各起立体２，２ａ，２ｂが外れる程度の保持力であることから必ずしも設けなくてもよい。
【符号の説明】
【００１８】
１  連装部材
１ａ  折り曲げ部
２  最端に配してある起立体
２ａ  中間に配してある電線に固定する態様の起立体
２ｂ  中間に配してある電線に挿通する態様の起立体
３  ラインロープ（ライン材）
４  電線取付部
５  離隔部
６  電線受け部材
７  電線押圧部材
７ａ  押圧部
７ｂ  被取付部
８  蓋部材
９  間接活線把持具
１０ａ  起立体取付孔（起立体保持部）
１０ｂ  ロープ保持部（起立体保持部）
１１  上部通し孔
１１ａ  切れ込み線
１２  被把持部
１３  ロープ受け部
１４  ロープ押さえ部
１５  ネジ
１６  鳥返し
２０  ロープ通し孔
２１  切れ込み線
２２  折り曲げ線
３３  電線挿通部
３４  ヒンジ
Ｄ  電線
【図１（ａ）（ｂ）】
2015154598.tif 000003
【図２（ａ）（ｂ）】
2015154598.tif 000004
【図３（ａ）（ｂ）（ｃ）（ｄ）】
2015154598.tif 000005
【図４（ａ）（ｂ）】
2015154598.tif 000006
【図５（ａ）（ｂ）（ｃ）（ｄ）】
2015154598.tif 000007